(57)【要約】【課題】外部導体とコンタクト間で形成される容量が小さく、高周波機器に使用して好適なＦ型コネクタを提供する。【解決手段】本発明のＦ型コネクタにおいて、コンタクト５は、絶縁部材２に支持された支持部５ａと、外部導体１外に突出するように、支持部５ａの一端側から延びる端子部５ｂと、絶縁部材２内に位置した状態で支持部５ａの他端側から延び、先端部に接触部５ｄを設けた弾性部５ｃとを有し、弾性部５ｃと外部導体１との間に介在する絶縁部材２に孔４ｅを設けたため、コンタクト５と外部導体１との間で形成される容量Ｃは、孔４ｅを挟んで対向する部分での容量が小さくなって、従来のものよりも容量Ｃを小さくでき、このため、高周波機器に使用した場合において、リターンロスが大きいものが提供できる。【選択図】        図１
2004228021.tif 000002
【特許請求の範囲】
【請求項１】
金属材からなる筒状の外部導体と、この外部導体内に配設された絶縁部材と、この絶縁部材内に配設されたバネ性のある金属板で形成されたコンタクトとを備え、前記コンタクトは、前記絶縁部材に支持された支持部と、前記外部導体外に突出するように、前記支持部の一端側から延びる端子部と、前記絶縁部材内に位置した状態で前記支持部の他端側から延び、先端部に接触部を設けた弾性部とを有し、前記弾性部と前記外部導体との間に介在する前記絶縁部材に孔を設けたことを特徴とするＦ型コネクタ。
【請求項２】
前記孔を複数個設けたことを特徴とする請求項１記載のＦ型コネクタ。
【請求項３】
前記孔は、前記弾性部の板面と対向する位置に設けられたことを特徴とする請求項１、又は２記載のＦ型コネクタ。
【請求項４】
前記絶縁部材は、前記コンタクトを支持する支持体と、この支持体と別体に形成され、前記孔を設けた筒状体とで構成され、前記筒状体が前記弾性部と前記外部導体との間に介在したことを特徴とする請求項１から３の何れかに記載のＦ型コネクタ。
【請求項５】
前記筒状体は、この筒状体の軸方向に分割された２部品で構成されたことを特徴とする請求項４記載のＦ型コネクタ。
【発明の詳細な説明】
【０００１】
【発明の属する技術分野】
本発明は衛星放送受信用コンバータ等の高周波機器に使用して好適なＦ型コネクタに関する。
【０００２】
【従来の技術】
従来のＦ型コネクタの図面を説明すると、図５は従来のＦ型コネクタの断面図、図６は従来のＦ型コネクタの裏面図、図７は従来のＦ型コネクタに係る筒状体の斜視図である。
【０００３】
次に、従来のＦ型コネクタの構成を図５〜図７に基づいて説明すると、金属材からなる筒状の外部導体５１は、中心部に孔５１ａを有する筒状部５１ｂと、この筒状部５１ｂの外周面に設けられたネジ部５１ｃと、筒状部５１ｂの後端部に設けられた鍔部５１ｄと、鍔部５１ｄの後部に設けられたカシメ部５１ｅを有する。
【０００４】
成型品からなる絶縁部材５２は、支持体５３と、この支持体５３と別部品（別体）で形成された筒状体５４とで構成されている。
そして、支持体５３は、中心部に設けられた矩形状の支持孔５３ａと、この支持孔５３ａに繋がった状態で、前方部に設けられた大きめの孔５３ｂを有し、この支持体５３は、外部導体５１の孔５１ａ内の後方部において、圧入等の適宜手段により取り付けられている。
【０００５】
また、筒状体５４は、中心部に空間部５４ａを有する筒部５４ｂと、この筒部５４ｂの前方部を塞ぐ前壁５４ｃと、この前壁５４ｃの中心部に設けられた小孔５４ｄを有し、この筒状体５４は、外部導体５１の孔５１ａ内の前方部において、圧入等の適宜手段により取り付けられると共に、前壁５４ｃによって、孔５１ａの前方部が塞がれた状態となっている。
【０００６】
そして、支持体５３と筒状体５４が外部導体５１の孔５１ａ内に取り付けられた際、外部導体５１の孔５１ａの内壁面全体が絶縁部材５２を構成する支持体５３と筒状体５４とによって覆われた状態となっている。
【０００７】
バネ性のある金属板からなるコンタクト５５は、１枚の金属板が折り曲げられて互いに重ね合わされ、或いは、２枚の金属板が互いに重ね合わされて構成されてなり、支持体５３に支持される支持部５５ａと、この支持部５５ａの一端側から延びる端子部５５ｂと、支持部５５ａの他端側から延びるクリップ状の弾性部５５ｃと、この弾性部５５ｃの前方の先端部に設けられた接触部５５ｄとを有する。
【０００８】
そして、このコンタクト５５は、支持部５５ａが支持体５３の支持孔５３ａ内に圧入等の手段により支持体５３に支持されて、取り付けられている。
また、コンタクト５５が支持体５３に取り付けられた際、端子部５５ｂは外部導体５１外に突出すると共に、弾性部５５ｃは、その根本部が支持体５３の孔５３ｂの内面で支持された状態で、筒状体５４の空間部５５ａ内に位置し、且つ、接触部５５ｄは、前壁５４ｃの小孔５４ｄと対向した状態となっている。
【０００９】
即ち、コンタクト５５が絶縁部材５２に取り付けられた際、外部導体５１の孔５１内に位置するコンタクト５５の全周は、絶縁部材５２を介して外部導体５１と対向した状態となっている。（例えば、特許文献１参照）
【００１０】
このような従来のＦ型コネクタは、図５に示すように、金属材からなるシャーシや枠体からなる取付部材５６に鍔部５１ｄを当接すると共に、取付部材５６の孔５６ａにカシメ部５１ｅを挿通し、このカシメ部５１ｅをカシメて、Ｆ型コネクタが取付部材５６に取り付けられる。
【００１１】
また、Ｆ型コネクタが取付部材５６に取り付けられた際、外部導体５１は取付部材５６によって接地された状態になると共に、端子部５５ｂは、回路基板（図示せず）に接続される。
【００１２】
そして、ここでは図示しないが、雄型コネクタのピン状の中心導体が筒状体５４の小孔５４ｄに挿通されて、接触部５５ｄに接続されると共に、雄型コネクタの外部導体がＦ型コネクタのネジ部５１ｃにネジ合わされて、Ｆ型コネクタの外部導体５１に接続された状態となる。
【００１３】
また、図８は、Ｆ型コネクタを衛星放送受信用コンバータに使用した場合の等価回路図で、この等価回路図に示すように、マッチング回路Ｍには、コンタクト５５の端子部５５ｂが接続され、コンタクト５５の長さによってＬ成分（インダクタンス成分）が存在すると共に、接地された外部導体５１とコンタクト５５との間には、容量Ｃが存在した状態で、接触部５５ｄから９５０〜２１５０ＭＨｚの広い帯域の信号が導出されるようになっている。
【００１４】
しかし、従来のＦ型コネクタは、上述したように、外部導体５１の孔５１ａ内に位置するコンタクト５５の全周は、絶縁部材５２を介して外部導体５１と対向した状態となっているため、コンタクト５５と外部導体５１との間で形成される容量Ｃが大きくなり、その結果、マッチング（リターンロスが小さい）がとれないものであった。
【００１５】
また、コンタクト５５と外部導体５１との間で形成される容量Ｃが大きいため、プリント基板上に形成されたマッチング回路Ｍ側での調整も不可能であった。
【００１６】
【特許文献１】
実開平５−８４０６９号公報
【００１７】
【発明が解決しようとする課題】
従来のＦ型コネクタは、外部導体５１の孔５１内に位置するコンタクト５５の全周が絶縁部材５２を介して外部導体５１と対向した状態となっているため、コンタクト５５と外部導体５１との間で形成される容量Ｃが大きくなり、その結果、マッチング（リターンロスが小さい）がとれないという問題がある。
また、また、コンタクト５５と外部導体５１との間で形成される容量Ｃが大きいため、プリント基板上に形成されたマッチング回路Ｍ側での調整も不可能であるという問題がある。
【００１８】
そこで、本発明は外部導体とコンタクト間で形成される容量が小さく、高周波機器に使用して好適なＦ型コネクタを提供することを目的とする。
【００１９】
【課題を解決するための手段】
上記課題を解決するための第１の解決手段として、金属材からなる筒状の外部導体と、この外部導体内に配設された絶縁部材と、この絶縁部材内に配設されたバネ性のある金属板で形成されたコンタクトとを備え、前記コンタクトは、前記絶縁部材に支持された支持部と、前記外部導体外に突出するように、前記支持部の一端側から延びる端子部と、前記絶縁部材内に位置した状態で前記支持部の他端側から延び、先端部に接触部を設けた弾性部とを有し、前記弾性部と前記外部導体との間に介在する前記絶縁部材に孔を設けた構成とした。
【００２０】
また、第２の解決手段として、前記孔を複数個設けた構成とした。
また、第３の解決手段として、前記孔は、前記弾性部の板面と対向する位置に設けられた構成とした。
【００２１】
また、第４の解決手段として、前記絶縁部材は、前記コンタクトを支持する支持体と、この支持体と別体に形成され、前記孔を設けた筒状体とで構成され、前記筒状体が前記弾性部と前記外部導体との間に介在した構成とした。
また、第５の解決手段として、前記筒状体は、この筒状体の軸方向に分割された２部品で構成された。
【００２２】
【発明の実施の形態】
本発明のＦ型コネクタの図面を説明すると、図１は本発明のＦ型コネクタの断面図、図２は本発明のＦ型コネクタの裏面図、図３は本発明のＦ型コネクタに係る筒状体の斜視図、図４は本発明のＦ型コネクタの他の実施例に係る筒状体の斜視図である。
【００２３】
次に、本発明のＦ型コネクタの構成を図１〜図３に基づいて説明すると、金属材からなる筒状の外部導体１は、中心部に孔１ａを有する筒状部１ｂと、この筒状部１ｂの外周面に設けられたネジ部１ｃと、筒状部１ｂの後端部に設けられた鍔部１ｄと、鍔部１ｄの後部に設けられたカシメ部１ｅを有する。
【００２４】
成型品からなる絶縁部材２は、支持体３と、この支持体３と別部品（別体）で形成された筒状体４とで構成されている。
そして、支持体３は、中心部に設けられた矩形状の支持孔３ａと、この支持孔３ａに繋がった状態で、前方部に設けられた大きめの孔３ｂを有し、この支持体３は、外部導体５１の孔１ａ内の後方部において、圧入等の適宜手段により取り付けられている。
【００２５】
また、筒状体４は、中心部に空間部４ａを有する筒部４ｂと、この筒部４ｂの前方部を塞ぐ前壁４ｃと、この前壁４ｃの中心部に設けられた小孔４ｄと、筒部４ｂに対向して設けられた２個の孔４ｅとを有し、この筒状体４は、外部導体１の孔１ａ内の前方部において、圧入等の適宜手段により取り付けられると共に、前壁４ｃによって、孔１ａの前方部が塞がれた状態となっている。
【００２６】
そして、支持体３と筒状体４が外部導体１の孔１ａ内に取り付けられた際、外部導体１の孔１ａの内壁面は、筒状体４に設けられた孔４ｅを除いて、絶縁部材２を構成する支持体３と筒状体４とによって覆われた状態となっている。
【００２７】
なお、この実施例では、支持体３と筒状体４が別体に設けられたもので説明したが、支持体３と筒状体４の両者が成形加工によって一体化されものでも良い。
また、孔４ｅは、１個、或いは３個以上設けても良い。
【００２８】
バネ性のある金属板からなるコンタクト５は、１枚の金属板が折り曲げられて互いに重ね合わされ、或いは、２枚の金属板が互いに重ね合わされて構成されてなり、支持体３に支持される支持部５ａと、この支持部５ａの一端側から延びる端子部５ｂと、支持部５ａの他端側から延びるクリップ状の弾性部５ｃと、この弾性部５ｃの前方の先端部に設けられた接触部５ｄとを有する。
【００２９】
そして、このコンタクト５は、支持部５ａが支持体３の支持孔３ａ内に圧入等の手段により支持体３に支持されて、取り付けられている。
また、コンタクト５が支持体３に取り付けられた際、端子部５ｂは外部導体１外に突出すると共に、弾性部５ｃは、その根本部が支持体３の孔３ｂの内面で支持された状態で、筒状体４の空間部５ａ内に位置し、且つ、接触部５ｄは、前壁４ｃの小孔４ｄと対向した状態となっている。
【００３０】
更に、コンタクト５が支持体３に取り付けられた際、筒状体４の孔４ｅには、弾性部５ｃの板面が対向した状態となって、この孔４ｅを挟んで、弾性部５ｃと外部導体１が対向すると共に、孔４ｅを除くコンタクト５の部分は、絶縁部材２を介して外部導体１と対向した状態となっている。
【００３１】
なお、この実施例では、２枚の金属板を重ね合わせて形成されたコンタクト５で説明したが、重ね合わされていない１枚の金属板で、コンタクト５を形成しても良い。
【００３２】
このような本発明のＦ型コネクタは、図１に示すように、金属材からなるシャーシや枠体からなる取付部材６に鍔部１ｄを当接すると共に、取付部材６の孔６ａにカシメ部１ｅを挿通し、このカシメ部１ｅをカシメて、Ｆ型コネクタが取付部材６に取り付けられる。
【００３３】
また、Ｆ型コネクタが取付部材６に取り付けられた際、外部導体１は取付部材６によって接地された状態になると共に、端子部５ｂは、回路基板（図示せず）に接続される。
【００３４】
そして、ここでは図示しないが、雄型コネクタのピン状の中心導体が筒状体４の小孔４ｄに挿通されて、接触部５ｄに接続されると共に、雄型コネクタの外部導体がＦ型コネクタのネジ部１ｃにネジ合わされて、Ｆ型コネクタの外部導体１に接続された状態となる。
【００３５】
また、図８は、Ｆ型コネクタを衛星放送受信用コンバータに使用した場合の等価回路図で、この等価回路図に示すように、マッチング回路Ｍには、コンタクト５の端子部５ｂが接続され、コンタクト５の長さによってＬ成分（インダクタンス成分）が存在すると共に、接地された外部導体１とコンタクト５との間には、容量Ｃが存在した状態で、接触部５ｄから９５０〜２１５０ＭＨｚの広い帯域の信号が導出されるようになっている。
【００３６】
そして、本発明のＦ型コネクタは、上述したように、外部導体１の孔１ａ内に位置するコンタクト５は、一部が孔４ｅを挟んで外部導体１に対向すると共に、孔４ｅを除く部分が絶縁部材２を介して外部導体１と対向した状態となっている。
【００３７】
従って、コンタクト５と外部導体１との間で形成される容量Ｃは、孔４ｅを挟んで対向する部分において、従来のものよりも容量Ｃを小さくできるため、全体としての容量Ｃが小さくなり、その結果、マッチング（リターンロスが大きい）のとれたものが得られる。
【００３８】
また、コンタクト５と外部導体１との間で形成される容量Ｃが小さいため、プリント基板上に形成されたマッチング回路Ｍ側での調整も可能となる。
【００３９】
また、図４は本発明のＦ型コネクタの他の実施例に係る筒状体を示し、この他の実施例は、筒状体４が軸方向に分割された２部品で構成され、この２部品を組み合わせて、１つの筒状体４を形成したものである。
その他の構成は、上記の実施例と同様であるので、同一部品に同一番号を付し、ここではその説明を省略する。
【００４０】
このように、筒状体４を２部品で構成すると、孔４ｅの大きの異なる半製品（２部品の内の１部品）を数種類用意し、孔４ｅの同種類の半製品の組合せや孔４ｅの異なる半製品の組合せによって、種々の孔４ｅが選択できて、融通性のあるものが得られる。
【００４１】
【発明の効果】
本発明のＦ型コネクタは、金属材からなる筒状の外部導体と、この外部導体内に配設された絶縁部材と、この絶縁部材内に配設されたバネ性のある金属板で形成されたコンタクトとを備え、コンタクトは、絶縁部材に支持された支持部と、外部導体外に突出するように、支持部の一端側から延びる端子部と、絶縁部材内に位置した状態で支持部の他端側から延び、先端部に接触部を設けた弾性部とを有し、弾性部と外部導体との間に介在する絶縁部材に孔を設けた構成とした。
このような構成によって、コンタクトと外部導体との間で形成される容量Ｃは、孔を挟んで対向する部分での容量が小さくなって、従来のものよりも容量Ｃを小さくでき、このため、高周波機器に使用した場合において、マッチング（リターンロスが大きい）のとれたものが提供できる。
また、コンタクトと外部導体との間で形成される容量Ｃが小さいため、プリント基板上に形成されたマッチング回路Ｍ側での調整が可能なものが得られる。
【００４２】
また、孔を複数個設けたため、容量Ｃの一層小さなものが得られて、リターンロスの大きなものが得られる。
【００４３】
また、孔は、弾性部の板面と対向する位置に設けられたため、容量Ｃの一層小さなものが得られて、リターンロスの大きなものが得られる。
【００４４】
また、絶縁部材は、コンタクトを支持する支持体と、この支持体と別体に形成され、孔を設けた筒状体とで構成され、筒状体が弾性部と外部導体との間に介在したため、特に、孔を有した筒状体の成形加工が容易となり、生産性の良好なものが得られる。
【００４５】
また、筒状体は、この筒状体の軸方向に分割された２部品で構成されたため、孔の大きの異なる半製品（２部品の内の１部品）を数種類用意すれば、半製品の組合せによって、種々の孔が選択できて、融通性のあるものが得られる。
【図面の簡単な説明】
【図１】本発明のＦ型コネクタの断面図。
【図２】本発明のＦ型コネクタの裏面図。
【図３】本発明のＦ型コネクタに係る筒状体の斜視図。
【図４】本発明のＦ型コネクタの他の実施例に係る筒状体の斜視図。
【図５】従来のＦ型コネクタの断面図。
【図６】従来のＦ型コネクタの裏面図。
【図７】従来のＦ型コネクタに係る筒状体の斜視図。
【図８】Ｆ型コネクタを衛星放送受信用コンバータに使用した場合の等価回路図。
【符号の説明】
１  外部導体
１ａ  孔
１ｂ  筒状部
１ｃ  ネジ部
１ｄ  鍔部
１ｅ  カシメ部
２  絶縁部材
３  支持体
３ａ  支持孔
３ｂ  孔
４  筒状体
４ａ  空間部
４ｂ  筒部
４ｃ  前壁
４ｄ  小孔
４ｅ  孔
５  コンタクト
５ａ  支持部
５ｂ  端子部
５ｃ  弾性部
５ｄ  接触部
６  取付部材
６ａ  孔
Ｍ  マッチング回路
Ｌ  インダクタンス成分
Ｃ  容量
【図１】
2004228021.tif 000003
【図２】
2004228021.tif 000004
【図３】
2004228021.tif 000005
【図４】
2004228021.tif 000006
【図５】
2004228021.tif 000007
【図６】
2004228021.tif 000008
【図７】
2004228021.tif 000009
【図８】
2004228021.tif 000010